(57)【特許請求の範囲】
【請求項１】
課金済みの第１のカードの挿入、又は現金の投入により遊技用の玉貸し処理を行い、
前記第１のカードによる玉貸し処理により貸し出された玉貸しの金額である売上と、現金投入により内部で新たに発券され課金され、現金ユニットの内部で保管し、特定の管理員以外は外部に取り出すことはできないようになっている第２のカードによる玉貸し処理により貸し出された玉貸しの金額である売上と、前記第２のカードの発券額の信号情報を出力する現金投入機能付カードユニットに対してネットワークを介して接続され、前記現金投入機能付カードユニットの出力情報を取り込んで管理する管理装置であって、
前記現金投入機能付カードユニットから出力される第１のカードによる玉貸し処理により貸し出された玉貸しの金額である売上と、第２のカードによる玉貸し処理により貸し出された玉貸しの金額である売上と、第２のカードの発券額の情報を採取する情報採取手段と、
前記採取した情報を基に、予め定めたフォーマットに従って管理用データを作成するデータ作成手段と、
前記データ作成手段が作成した管理用データを基に、予め定めた計算式に従って管理用データを計算する計算手段と、
前記計算手段の計算結果を出力する出力手段を備えていることを特徴とする管理装置。
【請求項２】
前記データ作成手段が作成したデータを格納する機器データファイルと、ホール内機器の構成情報を格納するホール構成情報ファイルと、前記ホール内機器の信号設定情報を格納する信号設定情報ファイルとを備え、
前記計算手段は、前記各ファイルの情報を参照してデータの計算を行う機能を備えていることを特徴とする請求項１記載の管理装置。
【請求項３】
前記計算手段は、カード毎の売上情報、及び現金の売上情報を計算する機能を備え、
前記出力手段は、前記計算手段が計算したカード毎の売上情報、及び現金の売上情報を表示又は印刷して出力する機能を備えていることを特徴とする請求項１記載の管理装置。
【発明の詳細な説明】
【０００１】
【発明の属する技術分野】
本発明は管理装置に関し、特に、利用者が遊技を行う際に使用する現金投入機能付カードユニットの出力情報を取り込んで売上情報を管理する管理装置に関する。
【０００２】
【従来の技術】
図５は従来例の説明図である。以下、図５を参照しながら従来例を説明する。従来、遊技料の支払いに応じて遊技用の玉を借り、その玉を使って遊技を行う遊技機が知られていた。この遊技機で遊技を行う場合、遊技用の玉を借りる方法として、次のような方法があった。
【０００３】
その１つの方法は、遊技用のホール内に設置されたカード販売機に現金を投入して課金済みのカード、すなわち、プリペイドカード（以下、このカードを「ＣＲカード」と呼ぶ）を購入し、そのＣＲカードを、遊技用のホール内に設置されたサンドユニットと呼ばれる装置を利用して玉を借りる方法である。
【０００４】
この場合、図５に示したように、サンドユニットには、カードユニット４と現金ユニット１が別装置として設置されており、カードユニット４には、正面側にカード挿入口５が設けてあり、内部には、カード挿入口５から挿入されたＣＲカードの記録面から記録情報（課金された金額情報等）を読み取り、玉貸し処理を行うように構成されている。
【０００５】
また、前記カードユニット４には、玉貸しを行った場合の売上情報を計算し、外部へ出力する出力部３が設けてあり、この出力部３から他の装置（管理用のコンピュータ）へ通信回線を介してデータが送られるようになっている。
【０００６】
そこで、利用者が玉を借りる際に、ＣＲカードをカードユニット４のカード挿入口５に挿入すると、カードユニット４内のカードリーダにより、前記挿入されたＣＲカードから記録情報を読み取り、記録されている金額情報に応じて玉貸し処理を行う。そして、カードユニット４の出力部３から、ＣＲカードによる玉貸し金額をＣＲカード売上情報として出力するようになっている。
【０００７】
もう一つの方法は、現金により玉を借りる方法である。この場合、前記現金ユニット１には、現金投入口２が設けてあり、利用者が玉を借りる場合、この現金投入口２から現金を投入するようになっている。そして、現金が投入されると、現金ユニット１内では、投入された現金を確認して受け取り、その投入金額に応じて玉の貸し処理を行う。
【０００８】
この場合、現金ユニット１では、投入された現金の金額を確認すると、内部でクイックカード（以下「ＱＣ」と記す）を発行し、そのＱＣによる玉貸し処理を行う。なお、このＱＣは、現金ユニット１の内部で保管し、特定の管理員等（例えば、カード管理会社の係員等）に限定してＱＣの記録情報を取り出すことができるようになっている。従って、前記特定の管理員以外は、ＱＣを外部に取り出すことはできないようになっている。
【０００９】
前記のように、カードユニット４の出力部３からは、ＣＲカード売上情報（ＣＲカードによる玉貸し金額と同じ）が出力され、現金ユニット１の出力部３からは、現金売上情報（現金による玉貸し金額と同じ）が出力される。従って、これらの出力情報を上位の管理用コンピュータに取り込んで管理していた。
【００１０】
【発明が解決しようとする課題】
前記のような従来のものにおいては、次のような課題があった。すなわち、前記のように、カードユニット４からは、ＣＲカード売上情報（ＣＲカードによる玉貸し金額と同じ）が出力され、現金ユニット１の出力部３からは、現金売上情報（現金による玉貸し金額と同じ）が出力される。
【００１１】
そのため、従来は、遊技用の玉貸し管理を行う場合、ＣＲカードによる玉貸し、及び現金投入によるＱＣ玉貸しの管理が可能である。しかし、従来の遊技用システムでは、カード又は現金の売上しか管理できず、ＣＲカードとＱＣ売上を分けて管理することができなかった。
【００１２】
本発明は、このような従来の課題を解決し、ＣＲカード売上、ＱＣ売上（クイックカード売上）、ＱＣ発券額の情報を管理することで、カード毎の売上、及び現金管理を行うことができるようにすることを目的とする。
【００１３】
【課題を解決するための手段】
本発明は前記の目的を達成するため、次のように構成した。
【００１４】
(1) ：課金済みの第１のカードの挿入、又は現金の投入により遊技用の玉貸し処理を行い、前記第１のカードによる玉貸し処理により貸し出された玉貸しの金額である売上と、現金投入により内部で新たに発券され課金され、現金ユニットの内部で保管し、特定の管理員以外は外部に取り出すことはできないようになっている第２のカードによる玉貸し処理により貸し出された玉貸しの金額である売上と、前記第２のカードの発券額の信号情報を出力する現金投入機能付カードユニットに対してネットワークを介して接続され、前記現金投入機能付カードユニットの出力情報を取り込んで管理する管理装置であって、
前記現金投入機能付カードユニットから出力される第１のカードによる玉貸し処理により貸し出された玉貸しの金額である売上と、第２のカードによる玉貸し処理により貸し出された玉貸しの金額である売上と、第２のカードの発券額の情報を採取する情報採取手段と、前記採取した情報を基に、予め定めたフォーマットに従って管理用データを作成するデータ作成手段と、前記データ作成手段が作成した管理用データを基に、予め定めた計算式に従って管理用データを計算する計算手段と、前記計算手段の計算結果を出力する出力手段を備えていることを特徴とする。
【００１５】
(2) ：前記(1) の管理装置において、前記データ作成手段が作成したデータを格納する機器データファイルと、ホール内機器の構成情報を格納するホール構成情報ファイルと、前記ホール内機器の信号設定情報を格納する信号設定情報ファイルとを備え、前記計算手段は、前記各ファイルの情報を参照してデータの計算を行う機能を備えていることを特徴とする。
【００１６】
(3) ：前記(1) の管理装置において、前記計算手段は、カード毎の売上情報、及び現金の売上情報を計算する機能を備え、前記出力手段は、前記計算手段が計算したカード毎の売上情報、及び現金の売上情報を表示又は印刷して出力する機能を備えていることを特徴とする。
【００１７】
（作用）
前記構成に基づく本発明の作用を、図１に基づいて説明する。なお、図１において、１２Ａは中継装置（中継コンピュータ）、１３Ａはホール内機器の制御を行うコンピュータ、１４は遊技台、１５はサンドユニット、１６は金庫、１８はカード販売機、３１は連携制御部、３２はデータ作成部、３３は信号設定情報ファイル、３４はホール構成情報ファイル、３５は機器データファイル、３８は計算部、３９は表示部、４０は印刷部を示す。
【００１８】
(a) ：前記(1) では、現金投入機能付カードユニット（サンドユニット１５）は、課金済みの第１のカード（ＣＲカード）の挿入、又は現金の投入により遊技用の玉貸し処理を行い、第１のカードによる売上と、現金投入により内部で新たに発券され課金された第２のカード（ＱＣ）による売上と、第２のカードの発券額の信号情報を出力する。
【００１９】
そこで、管理装置（例えば、ホールコンピュータ１１）では、情報採取手段（連携制御部３１）が、現金投入機能付カードユニット（サンドユニット１５）から出力される第１のカード（ＣＲカード）による売上と、第２のカード（ＱＣ）による売上と、第２のカードの発券額の情報を採取する。
【００２０】
次に、データ作成手段（データ作成部３２）は、前記採取した情報を基に、予め定めたフォーマットに従って管理用データを作成する。そして、計算手段（計算部３８）は、前記データ作成手段が作成した管理用データを基に、予め定めた計算式に従って管理用データを計算する。次に、出力手段（表示部３９、印刷部４０）は、前記計算手段の計算結果を出力（表示又は印刷）する。
【００２１】
(b) ：前記(2) では、計算手段は、データ作成手段が作成したデータを格納する機器データファイル３５と、ホール内機器の構成情報を格納するホール構成情報ファイル３４と、前記ホール内機器の信号設定情報を格納した信号設定情報ファイル３３の情報を参照してデータの計算を行う。
【００２２】
(c) ：前記(3) では、計算手段は、カード毎の売上情報、及び現金の売上情報を計算し、出力手段は、前記計算手段が計算したカード毎の売上情報、及び現金の売上情報を表示又は印刷して出力する。
【００２３】
以上のような作用により、第１のカードと第２のカードの売上（玉貸し数）を別々に管理することができる。また、第１のカードと第２のカードの売上（玉貸し数）を別々に管理するので、このデータを利用すれば、カード売上として、第１のカードと第２のカードの売上を合算して管理することも可能である。
【００２４】
また、カード毎の売上と現金売上とを別々に管理するので、第２のカードの発券時の投入現金と、搬送ラインにより収集された現金との誤差金額を管理することができる。更に、現金投入機能付カードユニット（サンドユニット１５）の第２のカードの発券額を採取することで、客のカード残金（退蔵金）を管理することができる。
【００２５】
【発明の実施の形態】
以下、本発明の実施の形態を図面に基づいて詳細に説明する。
【００２６】
§１：システムの説明
システム構成図を図２に示す。図２に示したシステムは、パーラコンピュータシステムと呼ばれるシステムの１例であり、ホール内の遊技用機器等の管理を行うためのホールコンピュータ（又はカウンタコンピュータ）１１と、ネットワーク上の中継処理を行うための島コンピュータ（又は中継コンピュータ）１２と、遊技台１４等の制御を行うための台コンピュータ（又は遊技台コントローラ）１３を有し、それぞれネットワークにより接続されている。
【００２７】
そして、ホール内には、遊技用の玉を使用して遊技を行うための遊技台１４、遊技用の玉貸し処理を行うためのサンドユニット１５、サンドユニット１５へ投入された現金を保管するための金庫１６、玉の計数を行うための計数機１７、ＣＲカードを販売するためのカード販売機１８等のホール内機器が、通信ケーブルにより前記台コンピュータ１３に接続されている。
【００２８】
なお、前記サンドユニット１５と金庫１６との間には現金の搬送ラインが設けてあり、この搬送ラインによりサンドユニット１５の現金が金庫１６内へ搬送され保管されるようになっている。
【００２９】
§２：サンドユニットの説明
前記サンドユニットの説明図を図３に示す。図３において、Ａ図はユニット構成図、Ｂ図は機能ブロック図である。この例では、前記サンドユニット１５として図３に示すような現金投入機能付カードサンドユニットを使用する。このサンドユニット１５には、ＣＲカードを挿入するためのカード挿入口５と、現金を投入するための現金投入口２が設けてあり、利用者がカードを挿入したり、現金を投入できるようになっている。
【００３０】
また、サンドユニット１５の内部には、出力情報を出力するための出力部３を設けると共に、図３のＢ図に示したような機能が設けてある。すなわち、サンドユニット１５の内部には、ＣＲカードによる玉貸し処理を行うためのＣＲカードによる玉貸し処理部２２と、現金投入によるＱＣ玉貸し処理を行うための現金投入によるＱＣ玉貸し処理部２３と、現金投入によるＱＣの発券処理を行う現金投入によるＱＣ発券部２４と、ＱＣに課金するための課金処理部２５等が設けてある。
【００３１】
このようなサンドユニット１５の出力部３からは、ＣＲカード売上情報（ＣＲカードによる玉貸し金額）、ＱＣ売上情報（ＱＣによる玉貸し金額）、及びＱＣ発券額情報（ＱＣに現金を課金した金額）を出力する。
【００３２】
§３：ホールコンピュータの構成の説明
ホールコンピュータのブロック図を図４に示す。図４において、点線矢印は参照、実線矢印は更新を示す。前記ホールコンピュータ１１は、ネットワークを介してサンドユニット１５の出力信号を受信し、ＣＲカード売上、ＱＣ売上、ＱＣ発券額の各信号を採取する機能と、データ収集、加工、蓄積を行う機能、売上データを表示画面上に表示する機能、売上データを印刷して出力する機能を備えている。以下、具体的に説明する。
【００３３】
図４に示したように、ホールコンピュータ１１には、連携制御部３１と、データ作成部３２と、信号設定情報ファイル３３と、ホール構成情報ファイル３４と、機器データファイル３５と、信号設定部３６と、ホール構成設定部３７と、計算部３８と、表示部３９と、印刷部４０等を備えている。
【００３４】
前記連携制御部３１は、図２に示した島コンピュータ１２や台コンピュータ１３との連携制御（通信制御等）を行うと共に、信号設定情報ファイル３３を参照して、受信情報信号から必要な情報を採取する処理を行うものである。データ作成部３２は、連携制御部３１が採取した情報を基に、予め決められたフォーマットに従ってデータを作成するものである。
【００３５】
信号設定部３６は、どのような信号を取り込むのかを設定するものである。ホール構成設定部３７は、ホール内に設置された機器の設定情報（接続状態等）を設定するものである。信号設定情報ファイル３３は、信号設定部３６が設定した信号設定情報を格納するものである。
【００３６】
ホール構成情報ファイル３４は、ホール構成設定部３７が設定したホール構成情報を格納するものである。機器データファイル３５は、データ作成部３２が作成したデータを格納するものである。計算部３８は、信号設定情報ファイル３３と、ホール構成情報ファイル３４と、機器データファイル３５の情報を参照し、予め決めた計算式に従って計算を行うものである。
【００３７】
表示部３９は計算部３８が計算した結果のデータ（売上データ等）を表示するものである。印刷部４０は計算部３８が計算した結果のデータ（売上データ等）を印刷するものである。
【００３８】
なお、前記連携制御部３１と、データ作成部３２と、信号設定部３６と、ホール構成設定部３７と、計算部３８は、それぞれプログラムの実行により実現する手段である。この場合、例えば、ホールコンピュータ１１に設けたハードディスク装置に予め前記プログラムを格納しておく。
【００３９】
そして、ホールコンピュータ１１内のＣＰＵの制御により前記ハードディスク装置に格納されているプログラムを読み出し、そのプログラムを前記ＣＰＵが実行することで前記各部の処理を実行する。
【００４０】
§４：ホールコンピュータの機能の説明
前記サンドユニット１５は、課金済みのＣＲカードの挿入、又は現金の投入により遊技用の玉貸し処理を行い、ＣＲカードによる売上と、現金投入により内部で新たに発券され課金されたＱＣによる売上と、ＱＣの発券額の信号情報を出力するものであり、ホールコンピュータ１１は、このサンドユニット１５に対してネットワークを介して接続され、サンドユニット１５の出力情報を取り込んで管理する機能を備えている。
【００４１】
具体的には、サンドユニット１５から出力される信号情報をネットワークを介して受信し、該受信情報から、ＣＲカードによる売上と、現金投入により内部で新たに発行され課金されたＱＣによる売上と、ＱＣ発券額の情報を採取する連携制御部３１と、前記採取した情報を基に、予め定めたフォーマットに従って管理用データを作成するデータ作成部３２と、前記データ作成部３２が作成した管理用データを基に、予め定めた計算式に従って管理用データを計算する計算部３８と、計算部３８の計算結果を出力する表示部３９、及び印刷部４０を備えている。
【００４２】
また、ホールコンピュータ１１には、データ作成部３２が作成したデータを格納する機器データファイル３５と、ホール内機器の構成情報を格納するホール構成情報ファイル３４と、ホール内機器の信号設定情報を格納する信号設定情報ファイル３３とを備え、前記計算部３８は、前記各ファイルの情報を参照してデータの計算を行う機能を備えている。
【００４３】
また、計算部３８は、カード毎の売上情報、及び現金の売上情報を計算する機能を備え、出力部（表示部３９、印刷部４０）は、計算部３８が計算したカード毎の売上情報、及び現金の売上情報を表示又は印刷して出力する機能を備えている。
【００４４】
更に、ホールコンピュータ１１では、前記各手段等により、サンドユニット１５から出力されるＣＲカードによる売上と、現金投入により内部で新たに発行され課金されたＱＣによる売上と、ＱＣ発券額の情報を管理することで、カード毎の売上管理、及び現金管理を行う機能を備えている。
【００４５】
§５：ホールコンピュータの処理の説明
サンドユニット１５（現金投入機能付カードユニット）は、課金済みのＣＲカード（プリペイドカード）の挿入、又は現金の投入により遊技用の玉貸し処理を行い、ＣＲカードによる売上と、現金投入により内部で新たに発券され課金されたＱＣによる売上と、ＱＣ発券額の信号情報を出力する。
【００４６】
そこで、ホールコンピュータ１１では、連携制御部３１がサンドユニット１５から出力される信号情報をネットワークを介して受信し、信号設定情報ファイル３３を参照することで、該受信情報から、ＣＲカードによる売上と、現金投入により内部で新たに発行され課金されたＱＣによる売上と、ＱＣ発券額の情報を採取する。
【００４７】
次に、データ作成部３２は、前記採取した情報を基に、予め定めたフォーマットに従って管理用データを作成する。そして、計算部３８は、前記データ作成部３２が作成した管理用データを基に、予め定めた計算式に従って管理用データを計算する。次に、表示部３９、及び印刷部４０は、前記計算部３８の計算結果を出力（表示又は印刷）する。
【００４８】
前記処理において、計算部３８は、データ作成部３２が作成したデータを格納する機器データファイル３５と、ホール内機器の構成情報を格納するホール構成情報ファイル３４と、前記ホール内機器の信号設定情報を格納した信号設定情報ファイル３３の情報を参照して管理用データの計算を行う。
【００４９】
また、前記計算処理において、計算部３８はカード毎の売上情報、及び現金の売上情報を計算し、表示部３９及び印刷部４０は、前記計算部３８が計算したカード毎の売上情報、及び現金の売上情報を表示又は印刷して出力する。
【００５０】
更に、前記処理において、ホールコンピュータ１１は、サンドユニット１５から出力されるＣＲカードによる売上と、現金投入により内部で新たに発行され課金されたＱＣによる売上と、ＱＣ発券額の情報を管理することで、カード毎の売上管理、及び現金管理を行う。
【００５１】
以上のような処理により、ホールコンピュータ１１では、ＣＲカードとＱＣの売上（玉貸し数）を別々に管理することができる。また、ＣＲカードとＱＣの売上（玉貸し数）を別々に管理するので、このデータを利用すれば、カード売上として、ＣＲカードとＱＣの売上を合算して管理することも可能になる。
【００５２】
また、カード毎の売上と現金売上とを別々に管理するので、ＱＣ発券時の投入現金と、搬送ラインにより収集された現金との誤差金額を管理することができる。更に、サンドユニット１５のＱＣ発券額を採取することで、客のカード残金（退蔵金）を管理することができる。
【００５３】
なお、前記ホールコンピュータ１１が行う現金投入機能付カードユニットからの出力信号情報の処理は、カード管理会社がホール内に設置するカードユニット専用の管理装置でも同様に実施することが可能である。また、現金投入機能付カードユニットと管理装置との間の信号のやりとりは、前記の例に限らず、任意の方法で実施可能である。
【００５４】
【発明の効果】
以上説明したように、本発明によれば次のような効果がある。
【００５５】
(1) ：第１のカードと第２のカードの売上（玉貸し数）を別々に管理することができる。
【００５６】
(2) ：第１のカードと第２のカードの売上（玉貸し数）を別々に管理するので、このデータを利用すれば、カード売上として、第１のカードと第２のカードの売上を合算して管理することも可能である。
【００５７】
(3) ：カード毎の売上と現金売上とを別々に管理するので、第２のカードの発券時の投入現金と、搬送ラインにより収集された金庫内の現金との誤差金額を管理することができる。
【００５８】
(4) ：現金投入機能付カードユニットの第２のカードの発券額を採取することで、客のカード残金（退蔵金）を管理することができる。
【図面の簡単な説明】
【図１】本発明の原理説明図である。
【図２】本発明の実施の形態におけるシステム構成図である。
【図３】本発明の実施の形態におけるサンドユニットの説明図であり、Ａ図はユニット構成図、Ｂ図は機能ブロック図である。
【図４】本発明の実施の形態におけるホールコンピュータのブロック図である。
【図５】従来例の説明図である。
【符号の説明】
１  現金ユニット
２  現金投入口
３  出力部
４  カードユニット
５  カード挿入口
１１  ホールコンピュータ
１２  島コンピュータ
１３  台コンピュータ
１４  遊技台
１５  サンドユニット
１６  金庫
１７  計数器
１８  カード販売機
２２  ＣＲカードによる玉貸し処理部
２３  現金投入によるＱＣ玉貸し処理部
２４  現金投入によるＱＣ発券部
２５  課金処理部
【図１】
0004139066.tif 000002
【図２】
0004139066.tif 000003
【図３】
0004139066.tif 000004
【図４】
0004139066.tif 000005
【図５】
0004139066.tif 000006